(57)【要約】【課題】立体視画像において計測値を正確に把握することができるようにする。【解決手段】立体視画像における計測用の直線を表示部に表示し、表示された計測用の直線上の２つの点の位置が入力されたとき、入力された２点間の距離の計測値を表す計測値画像の奥行き方向の表示位置を、表示部の画面手前側、画面上、画面奥側のうちのいずれか１つ選択し、選択された表示位置の奥行きを計測値画像に付与して立体視画像に合成して表示する。【選択図】図５
2012100246.tif 000002
【特許請求の範囲】
【請求項１】
互いに異なる撮影方向から被写体へ放射線を照射することにより取得された前記撮影方向毎の放射線画像を用いて立体視可能な立体視画像を表示する表示部と、
前記立体視画像における計測用の直線を前記表示部に表示させる計測バー表示制御部と、
該計測バー表示制御部によって表示された前記計測用の直線上の点の位置を入力する入力手段と、
該入力手段により２つの点の位置が入力されたとき、該入力された２点間の距離の計測値を表す計測値画像の奥行き方向の表示位置を、前記表示部の画面手前側、画面上、画面奥側のうちのいずれか１つ選択する表示位置選択部と、
該表示位置選択部により選択された表示位置の奥行きを前記計測値画像に付与して前記立体視画像に合成して表示させる計測値表示制御部とを備えていることを特徴とする立体視画像表示装置。
【請求項２】
前記表示位置選択部が、計測対象となる被写体の情報の重要度に応じて前記表示位置を選択するものであることを特徴とする請求項１記載の立体視画像表示装置。
【請求項３】
前記表示位置選択部が、計測対象となる被写体の情報の重要度が高いものは前記表示位置として前記画面手前側を選択するものであることを特徴とする請求項１に記載の立体視画像表示装置。
【請求項４】
互いに異なる撮影方向から被写体へ放射線を照射することにより取得された前記撮影方向毎の放射線画像を用いて立体視可能な立体視画像を表示する表示部を備えてなる立体視画像表示装置における立体視画像表示方法において、
前記立体視画像における計測用の直線を前記表示部に表示し、
該表示された前記計測用の直線上の２つの点の位置が入力されたとき、該入力された２点間の距離の計測値を表す計測値画像の奥行き方向の表示位置を、前記表示部の画面手前側、画面上、画面奥側のうちのいずれか１つ選択し、
該選択された表示位置の奥行きを前記計測値画像に付与して前記立体視画像に合成して表示することを特徴とする立体視画像表示方法。
【請求項５】
計測対象となる被写体の情報の重要度に応じて前記表示位置を選択するものことを特徴とする請求項４記載の立体視画像表示方法。
【請求項６】
計測対象となる被写体の情報の重要度が高いものは前記表示位置として前記画面手前側を選択することを特徴とする請求項４に記載の立体視画像表示方法。
【発明の詳細な説明】
【技術分野】
【０００１】
本発明は、互いに異なる２つの撮影方向から放射線を被写体へ照射して撮影方向毎の放射線画像を検出し、その検出した２つの放射線画像を用いて立体視画像を表示する立体視画像表示装置及び立体視画像表示方法に関するものである。
【背景技術】
【０００２】
従来、複数の画像を組み合わせて表示することにより、視差を利用して立体視できることが知られている。このような立体視できる画像（以下、立体視画像またはステレオ画像という）は、同一の被写体を異なる方向から撮影して取得された互いに視差のある複数の画像に基づいて生成されており、このような立体視画像の生成は、デジタルカメラやテレビなどの分野だけでなく、放射線画像撮影の分野においても利用されている。すなわち、被検者に対して互いに異なる方向から放射線を照射し、その被検者を透過した放射線を放射線画像検出器によりそれぞれ検出して互いに視差のある複数の放射線画像を取得し、これらの放射線画像に基づいて立体視画像を生成することが行われており、このように立体視画像を生成することによって観察者は奥行感のある放射線画像を観察することができて、より診断に適した放射線画像を観察することができる。
【０００３】
また上記のようにして放射線画像に基づいて生成された立体視画像において、診断や観察を行う際には、被検者の注目部位の寸法や距離の計測を必要とする場合があり、注目部位を計測するために、例えば立体視画像が表示された表示画面にスケール等の計測バーを表示させて立体視画像中の注目部位の距離を計測する方法等が採用されている。
【先行技術文献】
【特許文献】
【０００４】
【特許文献１】特開２００４−１０４３３１号公報
【特許文献２】特開２００５−６５１６２号公報
【特許文献３】特開平４−１６８４８９号公報
【特許文献４】特開２００５−４９６６８号公報
【特許文献５】特開２０１０−５２１７３８号公報
【発明の概要】
【発明が解決しようとする課題】
【０００５】
しかしながら立体視画像表示装置では、特に放射線画像のような透視画像においては、奥行方向に重なり合う被写体画像中に被写体部位の計測結果を表す計測値が表示されるため、計測値が被写体部位と重なってしまったときには、計測値が見難くなってしまう場合がある。
【０００６】
なお特許文献１には、立体視画像中に任意の文字や記号等を書き込み、書き込んだ情報に対応する画像に奥行きを付与して立体視画像に合成することが開示されているが、放射線画像や計測値に関することは何も開示されていない。また特許文献２〜４は、表示内容によって奥行方向の位置を変更することが開示されているが、放射線画像や計測値に関することは何も開示されていない。
【０００７】
本発明は上記事情に鑑みてなされたものであり、立体視画像において計測値を正確に把握することができる立体視画像表示装置及び立体視画像表示方法を提供することを目的とするものである。
【課題を解決するための手段】
【０００８】
本発明の立体視画像表示装置は、互いに異なる撮影方向から被写体へ放射線を照射することにより取得された前記撮影方向毎の放射線画像を用いて立体視可能な立体視画像を表示する表示部と、
前記立体視画像における計測用の直線を前記表示部に表示させる計測バー表示制御部と、
該計測バー表示制御部によって表示された前記計測用の直線上の点の位置を入力する入力手段と、
該入力手段により２つの点の位置が入力されたとき、該入力された２点間の距離の計測値を表す計測値画像の奥行き方向の表示位置を、前記表示部の画面手前側、画面上、画面奥側のうちのいずれか１つ選択する表示位置選択部と、
該表示位置選択部により選択された表示位置の奥行きを前記計測値画像に付与して前記立体視画像に合成して表示させる計測値表示制御部とを備えていることを特徴とするものである。
【０００９】
なお本発明において「計測用の直線」は、長さが既知のものを意味し、物差などのように目盛の付いたものであってもよい。
【００１０】
なお本発明の立体視画像表示装置においては、前記表示位置選択部が、計測対象となる被写体の情報の重要度に応じて前記表示位置を選択するものであってもよい。
【００１１】
また本発明の立体視画像表示装置においては、前記表示位置選択部が、計測対象となる被写体の情報の重要度が高いものは前記表示位置として前記画面手前側を選択するものであってもよい。
【００１２】
本発明の立体視画像表示方法は、互いに異なる撮影方向から被写体へ放射線を照射することにより取得された前記撮影方向毎の放射線画像を用いて立体視可能な立体視画像を表示する表示部を備えてなる立体視画像表示装置における立体視画像表示方法において、
前記立体視画像における計測用の直線を前記表示部に表示し、
該表示された前記計測用の直線上の２つの点の位置が入力されたとき、該入力された２点間の距離の計測値を表す計測値画像の奥行き方向の表示位置を、前記表示部の画面手前側、画面上、画面奥側のうちのいずれか１つ選択し、
該選択された表示位置の奥行きを前記計測値画像に付与して前記立体視画像に合成して表示することを特徴とする。
【００１３】
なお本発明の立体視画像表示方法においては、計測対象となる被写体の情報の重要度に応じて前記表示位置を選択してもよい。
【００１４】
また本発明の立体視画像表示方法においては、計測対象となる被写体の情報の重要度が高いものは前記表示位置として前記画面手前側を選択してもよい。
【発明の効果】
【００１５】
本発明の立体視画像表示装置及び立体視画像表示方法によれば、立体視画像における計測用の直線を表示部に表示し、表示された計測用の直線上の２つの点の位置が入力されたとき、入力された２点間の距離の計測値を表す計測値画像の奥行き方向の表示位置を、表示部の画面手前側、画面上、画面奥側のうちのいずれか１つ選択し、選択された表示位置の奥行きを計測値画像に付与して立体視画像に合成して表示するようにしたので、奥行方向に重なり合う被写体画像中に被写体部位の計測結果を表す計測値が表示されて計測値が見難くなってしまっても、観察者は計測値の表示位置を表示部の画面手前側、画面上、画面奥側から選択することができるので、計測値を見易くすることができて立体視画像において計測値を正確に把握することができる。
【図面の簡単な説明】
【００１６】
【図１】本発明の立体視画像表示装置の一実施形態を用いた乳房画像撮影表示システムの概略構成図
【図２】図１に示す乳房画像撮影表示システムのアーム部を図１の右方向から見た図
【図３】図１に示す乳房画像撮影表示システムのコンピュータ内部の概略構成を示すブロック図
【図４】ホイールマウスの一例を示す斜視図
【図５】図３に示す乳房画像撮影表示システムの作用を説明するためのフローチャート
【図６】異常陰影候補を含む乳房のステレオ画像と計測バーと立体カーソルの表示の一例を模式的に示す図
【図７】異常陰影候補を含む乳房のステレオ画像と計測バーと計測値画像の表示の一例を模式的に示す図
【図８】異常陰影候補を含む乳房のステレオ画像と計測バーと計測値画像の表示の一例を模式的に示す図
【図９】異常陰影候補を含む乳房のステレオ画像と計測バーと計測値画像の表示の一例を模式的に示す図
【図１０】計測値画像の表示位置を変更する方法を説明する図
【図１１】計測値画像に奥行きを付与する方法を説明する図
【発明を実施するための形態】
【００１７】
以下、図面を参照して本発明の立体視画像表示装置の一実施形態を用いた乳房画像撮影表示システムについて説明する。図１は、本実施形態の乳房画像撮影表示システム全体の概略構成を示す図である。
【００１８】
本実施形態の乳房画像撮影表示システム１は、図１に示すように、乳房画像撮影装置１０と、乳房画像撮影装置１０に接続されたコンピュータ２と、コンピュータ２に接続されたモニタ３および入力部４とを備えている。
【００１９】
そして、乳房画像撮影装置１０は、図１に示すように、基台１１と、基台１１に対し上下方向（Ｚ方向）に移動可能であり、かつ回転可能な回転軸１２と、回転軸１２により基台１１と連結されたアーム部１３を備えている。なお、図２には、図１の右方向から見たアーム部１３を示している。
【００２０】
アーム部１３はアルファベットのＣの形をしており、その一端には撮影台１４が、その他端には撮影台１４と対向するように放射線照射部１６が取り付けられている。アーム部１３の回転および上下方向の移動は、基台１１に組み込まれたアームコントローラ３１により制御される。
【００２１】
撮影台１４の内部には、フラットパネルディテクタ等の放射線画像検出器１５と、放射線画像検出器１５からの電荷信号の読み出しなどを制御する検出器コントローラ３３が備えられている。
【００２２】
また、撮影台１４の内部には、放射線画像検出器１５から読み出された電荷信号を電圧信号に変換するチャージアンプや、チャージアンプから出力された電圧信号をサンプリングする相関２重サンプリング回路や、電圧信号をデジタル信号に変換するＡＤ変換部などが設けられた回路基板なども設置されている。
【００２３】
また、撮影台１４はアーム部１３に対し回転可能に構成されており、基台１１に対してアーム部１３が回転したときでも、撮影台１４の向きは基台１１に対し固定された向きとすることができる。
【００２４】
放射線画像検出器１５は、放射線画像の記録と読出しを繰り返して行うことができるものであり、放射線の照射を直接受けて電荷を発生する、いわゆる直接型の放射線画像検出器を用いてもよいし、放射線を一旦可視光に変換し、その可視光を電荷信号に変換する、いわゆる間接型の放射線画像検出器を用いるようにしてもよい。また、放射線画像信号の読出方式としては、ＴＦＴ（thin film transistor）スイッチをオン・オフされることによって放射線画像信号が読みだされる、いわゆるＴＦＴ読出方式のものや、読取光を照射することによって放射線画像信号が読み出される、いわゆる光読出方式のものを用いることが望ましいが、これに限らずその他のものを用いるようにしてもよい。
【００２５】
放射線照射部１６の中には放射線源１７と、放射線源コントローラ３２が収納されている。放射線源コントローラ３２は、放射線源１７から放射線を照射するタイミングと、放射線源１７における放射線発生条件（管電流、時間、管電流時間積等）を制御するものである。
【００２６】
また、アーム部１３の中央部には、撮影台１４の上方に配置されて乳房を押さえつけて圧迫する圧迫板１８と、その圧迫板１８を支持する支持部２０と、支持部２０を上下方向（Ｚ方向）に移動させる移動機構１９が設けられている。圧迫板１８の位置、圧迫圧は、圧迫板コントローラ３４により制御される。
【００２７】
コンピュータ２は、中央処理装置（ＣＰＵ）および半導体メモリやハードディスクやＳＳＤ等のストレージデバイスなどを備えており、これらのハードウェアによって、図３に示すような制御部８ａ、放射線画像記憶部８ｂ、表示制御部８ｃ、表示位置選択部ｄが構成されている。
【００２８】
なお図３は図１に示す乳房画像撮影表示システムのコンピュータ内部の概略構成を示すブロック図であり、図４はホイールマウスの一例を示す斜視図、図５は図３に示す乳房画像撮影表示システムの作用を説明するためのフローチャート、図６は異常陰影候補を含む乳房のステレオ画像と計測バーと立体カーソルの表示の一例を模式的に示す図、図７は異常陰影候補を含む乳房のステレオ画像と計測バーと計測値画像の表示の一例を模式的に示す図、図８は異常陰影候補を含む乳房のステレオ画像と計測バーと計測値画像の表示の一例を模式的に示す図、図９は異常陰影候補を含む乳房のステレオ画像と計測バーと計測値画像の表示の一例を模式的に示す図、図１０は計測値画像の表示位置を変更する方法を説明する図、図１１は計測値画像に奥行きを付与する方法を説明する図である。
【００２９】
制御部８ａは、各種のコントローラ３１〜３５に対して所定の制御信号を出力し、システム全体の制御を行うものである。具体的な制御方法については後で詳述する。
【００３０】
放射線画像記憶部８ｂは、互いに異なる２つの撮影方向からの撮影によって放射線画像検出器１５によって検出された２枚の放射線画像信号を予め記憶するものである。
【００３１】
表示制御部８ｃは、放射線画像表示制御部５１，計測バー表示制御部５２及び計測値表示制御部５３を備えており、観察者による後述する入力部４からの入力に応じてモニタ３に表示されたカーソルをステレオ画像の面内方向に移動させることもできる。ここで面内方向とは、奥行方向に対して直交する面内の方向のことをいう。奥行方向をＺ方向とした場合、そのＺ方向に直交するＸ−Ｙ面内の方向のことをいう。また表示制御部８ｃは後述する計測値を表す計測値画像を生成してモニタ３に表示させる機能も有する。
【００３２】
放射線画像表示制御部５１は、放射線画像記憶部８ｂから読み出された２枚の放射線画像信号に対して所定の処理を施した後、モニタ３に乳房Ｍの通常撮影のステレオ画像を表示させるものである。
【００３３】
計測バー表示制御部５２は、モニタ３に図６に示すように、計測用の直線すなわち計測バーを表示させるものであり、この計測バーは放射線画像中の被写体の実寸法のスケール値の目盛が付与されている。なお本実施形態においては計測バーはモニタ３上に２次元的に表示されるものとするが、本発明はこれに限られるものではなく、立体スケール等の公知の技術を使用することにより立体的に表示させてもよい。
【００３４】
計測値表示制御部５３は、後述する入力部によって計測バー上の点が２点の位置が入力されたときに、入力された２点間の距離の計測値を表す計測値画像に、表示位置の奥行きを付与してステレオ画像に合成して表示させるものである。詳細については後で説明する。
【００３５】
表示位置選択部８ｄは、計測値画像の奥行き方向の表示位置を、モニタ３の画面手前側、画面上、画面奥側のうちのいずれか1つを選択するものである。表示位置選択部８ｄによる選択は後述する入力部からの入力指示により行われる。
【００３６】
入力部４０は、観察者による撮影条件や観察条件などの入力や操作指示の入力などを受け付けるものであり、たとえば、キーボードやマウスなどの入力デバイスによって構成されるものであり、本実施形態では図４に示すようなホイールマウス４１が用いられる。ホイールマウス４１は、回転ホイール４２を備えており、モニタ３に表示されるカーソルが立体カーソルの場合には、この回転ホイール４２を観察者が回転させることによって立体カーソルの奥行方向の位置が変更される。
【００３７】
モニタ３は、ステレオ画像の撮影時においては、コンピュータ２から出力された２つの放射線画像信号を用いてステレオ画像を表示可能なように構成されたものである。ステレオ画像を表示する構成としては、たとえば、２つの画面を用いて２つの放射線画像信号に基づく放射線画像をそれぞれ表示させて、これらをハーフミラーや偏光グラスなどを用いることで一方の放射線画像は観察者の右目に入射させ、他方の放射線画像は観察者の左目に入射させることによってステレオ画像を表示する構成を採用することができる。または、たとえば、２つの放射線画像を所定の視差量だけずらして重ね合わせて表示し、これを偏光グラスで観察することでステレオ画像を生成する構成としてもよいし、もしくはパララックスバリア方式およびレンチキュラー方式のように、２つの放射線画像を立体視可能な３Ｄ液晶に表示することによってステレオ画像を生成する構成としてもよい。
【００３８】
次に、本実施形態の乳房画像撮影表示システムの作用について説明する。図５に示すフローチャートを参照しながら説明する。
【００３９】
図５に示すように、まず、撮影台１４の上に患者の乳房Ｍが設置され、圧迫板１８により乳房Ｍが所定の圧力によって圧迫される（Ｓ１０）。
【００４０】
次に、入力部４おいて、撮影者によって種々の撮影条件が入力された後、撮影開始の指示が入力される（Ｓ１１）。
【００４１】
そして、入力部４において撮影開始の指示があると、乳房Ｍのステレオ画像を構成する２枚の放射線画像のうちの１枚目の放射線画像の撮影が行われる（Ｓ１２）。
【００４２】
具体的には、まず、制御部８ａが、予め設定されたステレオ画像の撮影のための輻輳角θを読み出し、その読み出した輻輳角θの情報をアームコントローラ３１に出力する。なお、本実施形態においては、このときの輻輳角θの情報としてθ＝±２°が予め記憶されているものとするが、これに限らず、撮影者によって入力部４において任意の輻輳角を設定可能である。
【００４３】
そして、アームコントローラ３１において、制御部８ａから出力された輻輳角θの情報が受け付けられ、アームコントローラ３１は、この輻輳角θの情報に基づいて、図２に示すように、アーム部１３が撮影台１４に垂直な方向に対して＋θ°回転するよう制御信号を出力する。すなわち、本実施形態においては、アーム部１３を撮影台１４に垂直な方向に対して＋２°回転するよう制御信号を出力する。
【００４４】
そして、このアームコントローラ３１から出力された制御信号に応じてアーム部１３が、＋２°だけ回転した状態において、制御部８ａは、放射線源コントローラ３２および検出器コントローラ３３に対して放射線の照射と放射線画像信号の読出しを行うよう制御信号を出力する。この制御信号に応じて、放射線源１７から放射線が射出され、乳房を＋２°方向から撮影した放射線画像が放射線画像検出器１５によって検出され、検出器コントローラ３３によって放射線画像信号が読み出され、その放射線画像信号に対して所定の信号処理が施された後、コンピュータ２の放射線画像記憶部８ｂに記憶される。
【００４５】
次に、乳房Ｍのステレオ画像を構成する２枚の放射線画像のうちの２枚目の放射線画像の撮影が行われる（Ｓ１３）。具体的には、アームコントローラ３１が、図２に示すように、アーム部１３を撮影台１４に垂直な方向に対して−θ°回転するよう制御信号を出力する。すなわち、本実施形態においては、アーム部１３を撮影台１４に垂直な方向に対して−２°回転するよう制御信号を出力する。
【００４６】
そして、このアームコントローラ３１から出力された制御信号に応じてアーム部１３が−２°だけ回転した状態において、制御部８ａは、放射線源コントローラ３２および検出器コントローラ３３に対して放射線の照射と放射線画像信号の読出しを行うよう制御信号を出力する。この制御信号に応じて、放射線源１７から放射線が射出され、乳房を−２°方向から撮影した放射線画像が放射線画像検出器１５によって検出され、検出器コントローラ３３によって放射線画像信号が読み出され、所定の信号処理が施された後、コンピュータ２の放射線画像記憶部８ｂに記憶される。
【００４７】
次に、上述したようにして放射線画像記憶部８ｂに記憶された２枚の放射線画像信号は、放射線画像表示制御部５１に入力され、放射線画像表示制御部５１において所定の処理が施された後、モニタ３に出力され、モニタ３において、図６に示すように乳房のステレオ画像とカーソルＣが表示される（Ｓ１４）。なおここでのカーソルＣの表示位置は、観察者による入力部４からの入力に応じて決定される。
【００４８】
次に計測バー表示制御部５２が、図６に示すようにモニタ３の画面上に計測用の直線である計測バーＢを表示させる（Ｓ１５）。
【００４９】
そして表示位置選択部８ｄが、入力部４から計測バーＢ上の２つの点の位置が入力されたか否かを判別する（Ｓ１６）。なお２つの点の位置の入力は、観察者がホイールマウス４１を操作することによりカーソルＣを、例えば図６に示すように、計測バーＢ上の点Ｐ１と点Ｐ２に位置させて左クリックをすることに行われる。そして入力された２点Ｐ１，Ｐ２間の距離が図示しない計測値算出部により算出されて、この算出結果が計測値とされて、表示制御部５２によって計測値を表す計測値画像が生成される。なお図６においてＡ１は石灰化や腫瘤などの可能性のある領域すなわち異常陰影候補を表すものとする。
【００５０】
２つの点の位置が入力されたと判別された場合（Ｓ１６；ＹＥＳ）は、表示位置選択部８ｄが、計測値画像の表示位置を選択する（Ｓ１７）。表示位置選択部８ｄによる選択は、計測値画像の奥行き方向の表示位置を、モニタ３の画面手前側、画面上、画面奥側のうちのいずれか1つを選択するものであり、例えばモニタ３上に画面手前側、画面上、画面奥側を選択する選択画面を表示させて、観察者がホイールマウス４１を操作することにより選択することができる。なおこの選択方法については、いずれの方法を使用しても良く、適宜変更することができる。
【００５１】
次に計測値表示制御部５３が、表示位置選択部８ｄにより選択された表示位置の奥行きを計測値画像に付与する（Ｓ１８）。計測値画像の奥行きは、図１０に示すように、モニタ３の画面上に表示される計測値画像すなわち計測値が生成された左目用画像と右目用画像の画像間の距離つまり視差量に基づいて決定されるものであり、図１０中の（ａ）に示すように視差量を付与した場合には観察者がモニタ３を観察したときに図７に示すように計測値は画面手前側に表示されて見ることができ、図１０中の（ｂ）に示すように視差量を付与しなかった場合には観察者がモニタ３を観察したときに図８に示すように計測値は画面上に表示されて見ることができる。また図１０中の（ｃ）に示すように視差量を付与した場合には観察者がモニタ３を観察したときに図９に示すように計測値は画面奥側に表示されて見ることができる。
【００５２】
計測値画像は、図１１に示すように、乳房の右目用放射線画像と左目用放射線画像とに合成され、右目用放射線画像中の計測値画像ＧＲの位置及び／又は左目用放射線画像中の計測値画像ＧＬの位置を水平方向に移動させることにより任意の奥行き量を付与することができる。なお奥行き量については、観察者が入力部４から入力することによって予め設定することもできるし、計測対象となる被写体の奥行き量を確認した後で設定し直すこともできる。
【００５３】
そして計測値表示制御部５３は、上述したようにして計測値画像に奥行きを付与して（Ｓ１８）、奥行きが付与された計測値画像を図１１に示すように乳房のステレオ画像に合成して、所定の処理を施した後、モニタ３に出力し、モニタ３において、乳房のステレオ画像と計測値画像が表示される（Ｓ１９）。
【００５４】
なおステップＳ１６にて計測バーＢ上の２つの点の位置が入力されていないと判別された場合（Ｓ１６；ＮＯ）には、２つの点の位置が入力されるまでステップＳ１６の処理を繰り返し行う。
【００５５】
以上により、本実施形態の立体視画像表示装置及び立体視画像表示方法によれば、計測バーＢを表示部に表示し、表示された計測バーＢ上の２つの点の位置が入力されたとき、入力された２点間の距離の計測値を表す計測値画像Ｇの奥行き方向の表示位置を、モニタ３の画面手前側、画面上、画面奥側のうちのいずれか１つ選択し、選択された表示位置の奥行きを計測値画像Ｇに付与して乳房のステレオ画像に合成して表示するようにしたので、奥行方向に重なり合う被写体画像中に被写体部位の計測結果を表す計測値Ｇが表示されて計測値Ｇが見難くなってしまっても、観察者は計測値Ｇの表示位置をモニタ３の画面手前側、画面上、画面奥側から選択することができるので、計測値Ｇを見易くすることができて立体視画像において計測値Ｇを正確に把握することができる。
【００５６】
なお本実施形態では、表示位置選択部８ｄは、入力部４からの入力指示により表示位置を選択するものとしたが、本発明はこれに限られるものではなく、計測対象となる被写体の情報の重要度に応じて表示位置を選択するようにしても良い。具体的には心臓、肺、乳房等の臓器の形状の計測よりも臓器における石灰化や腫瘤などの可能性のある領域すなわち異常陰影候補の計測の方が重要度が高いので計測値画像Ｇを画面手前側に表示させる。
【００５７】
上述した実施形態は、本発明の立体視画像表示装置の一実施形態を乳房画像撮影表示システムに適用したものであるが、本発明の被写体としては乳房に限らず、たとえば、胸部や頭部などを撮影する放射線画像撮影表示システムにも本発明を適用することができる。
【符号の説明】
【００５８】
１     乳房画像撮影表示システム
２     コンピュータ
３     モニタ
３ａ   表示面
４     入力部
８ａ   制御部
８ｂ   放射線画像記憶部
８ｃ    表示制御部
８ｄ    表示位置選択部
１０   乳房画像撮影装置
１３   アーム部
１４   撮影台
１５   放射線画像検出器
１６   放射線照射部
１７   放射線源
１８   圧迫板
５１    放射線画像表示制御部
５２    計測バー表示制御部
５３    計測値表示制御部
Ｂ      計測バー
Ｃ      カーソル
Ｇ      計測値
【図１】
2012100246.tif 000003
【図２】
2012100246.tif 000004
【図３】
2012100246.tif 000005
【図４】
2012100246.tif 000006
【図５】
2012100246.tif 000007
【図１０】
2012100246.tif 000008
【図６】
2012100246.tif 000009
【図７】
2012100246.tif 000010
【図８】
2012100246.tif 000011
【図９】
2012100246.tif 000012
【図１１】
2012100246.tif 000013